(57)【要約】【課題】  衝撃から時計を良好に保護することができる腕時計を提供する。【解決手段】  バンド取付部１１が設けられた腕時計ケース１と、バンド取付部１１に取り付けられた時計バンド１２と、腕時計ケース１の上面に配置される保護本体部１４、および保護本体部１４に連設され時計バンド１２の端部１２ａの上部に当接して保護本体部１４を支持する保護支持部１５を有する保護部材１３と、を備えている。従って、衝撃が保護部材１３の保護本体部１４に加わると、その衝撃を保護部材１３の保護支持部１５によって時計バンド１２に逃がすことができる。これにより、腕時計ケース１が受ける衝撃を緩和することができるので、衝撃から時計を良好に保護することができる。【選択図】        図３
2015169604.tif 000002
【特許請求の範囲】
【請求項１】
バンド取付部が設けられたケースと、
前記バンド取付部に取り付けられたバンドと、
前記ケースの上面に配置される保護本体部、および前記保護本体部に連設され前記バンドの端部の上部に当接して前記保護本体部を支持する保護支持部を有する保護部材と、
を備えていることを特徴とする腕時計。
【請求項２】
請求項１に記載の腕時計において、前記保護部材は衝撃に強い合成樹脂で形成されており、前記バンドは弾力を有する合成樹脂で形成されていることを特徴とする腕時計。
【請求項３】
請求項１または請求項２に記載の腕時計において、前記ケースの上面と前記保護本体部の下面との間には、隙間が前記保護支持部によって設けられていることを特徴とする腕時計。
【請求項４】
請求項１〜請求項３のいずれかに記載の腕時計において、前記保護部材が前記ケースの上面にその接離方向に移動可能な状態で、かつ前記ケースの上面側から抜け出すのを阻止する抜け止め部が設けられていることを特徴とする腕時計。
【請求項５】
請求項１〜請求項４のいずれかに記載の腕時計において、前記バンドは前記ケースの前記バンド取付部に回転可能な状態で取り付けられていることを特徴とする腕時計。
【発明の詳細な説明】
【技術分野】
【０００１】
この発明は、腕時計に関する。
【背景技術】
【０００２】
例えば、腕時計においては、特許文献１に記載されているように、時計ケースにプロテクト部材の金属線を取り付け、この金属線に設けられたプロテクト部材の緩衝部を時計ケースの時計ガラス上に配置することにより、時計ガラスや時計ケース内のモジュールを衝撃から保護するように構成されたものが知られている。
【先行技術文献】
【特許文献】
【０００３】
【特許文献１】特開２００２−２２８７７２号公報
【発明の概要】
【発明が解決しようとする課題】
【０００４】
しかしながら、このような腕時計では、プロテクト部材の緩衝部が時計ケースの時計ガラス上に配置されているため、プロテクト部材が時計ケースの上方から衝撃を受けると、その衝撃が緩衝部に集中し、その衝撃による負荷が時計ガラスに加わり、時計ガラスや時計ケース内のモジュールが破損する恐れがある。
【０００５】
この発明が解決しようとする課題は、衝撃から時計を良好に保護することができる腕時計を提供することである。
【課題を解決するための手段】
【０００６】
この発明は、バンド取付部が設けられたケースと、前記バンド取付部に取り付けられたバンドと、前記ケースの上面に配置される保護本体部、および前記保護本体部に連設され前記バンドの端部の上部に当接して前記保護本体部を支持する保護支持部を有する保護部材と、を備えていることを特徴とする腕時計である。
【発明の効果】
【０００７】
この発明によれば、衝撃が保護部材の保護本体部に加わると、その衝撃を保護部材の保護支持部によってバンドに逃がすことができる。これにより、ケースが受ける衝撃を緩和することができるので、衝撃から時計を良好に保護することができる。
【図面の簡単な説明】
【０００８】
【図１】この発明を適用した腕時計の第１実施形態において、一部を省略して示した拡大斜視図である。
【図２】図１に示された腕時計の拡大平面図である。
【図３】図２に示された腕時計のＡ−Ａ矢視における拡大断面図である。
【図４】図２に示された腕時計のＢ−Ｂ矢視における拡大断面図である。
【図５】図２に示された腕時計のＣ−Ｃ矢視における拡大断面図である。
【図６】図１に示された腕時計において、腕時計ケースのベゼルを取り外した状態を示した拡大斜視図である。
【図７】この発明を適用した腕時計の第２実施形態において、一部を省略して示した拡大平面図である。
【図８】図７に示された腕時計のＤ−Ｄ矢視における拡大断面図である。
【図９】図７に示された腕時計のＥ−Ｅ矢視における拡大断面図である。
【発明を実施するための形態】
【０００９】
（第１実施形態）
以下、図１〜図６を参照して、この発明を適用した腕時計の第１実施形態について説明する。
この腕時計は、図１および図２に示すように、腕時計ケース１を備えている。この腕時計ケース１は、図３〜図５に示すように、硬質の合成樹脂からなるケース本体２と、このケース本体２の外周に配置されるウレタン樹脂などの軟質の合成樹脂からなるベゼル３と、を有している。
【００１０】
この場合、ケース本体２中には、図３〜図５に示すように、金属製の補強部材２ａが埋め込まれている。ベゼル３は、３時、９時の２か所がビス４によってケース本体２の外周に取り付けられている。また、腕時計ケース１の上部開口部、つまりケース本体２の上部開口部には、時計ガラス５がパッキン５ａを介して取り付けられている。この腕時計ケース１の下部、つまりケース本体２の下部には、裏蓋６が防水リング６ａを介して取り付けられている。
【００１１】
また、この腕時計ケース１の内部、つまりケース本体１の内部には、図３〜図５に示すように、時計モジュール７（図３〜図５に２点鎖線で示す）が収納されている。この時計モジュール７は、その上面に配置された文字板（図示せず）がケース本体２の内周面の上部に設けられた見切り部材８に当接した状態で、ケース本体２内に配置されている。また、この時計モジュール７は、その下面が裏蓋６の内面（図３では上面）に配置された押え部材９によって上方に押し付けられた状態で、ケース本体２内に配置されている。
【００１２】
この時計モジュール７は、図示しないが、表示パネルや時計ムーブメント、およびこれら表示パネルや時計ムーブメントを駆動する回路基板などの時計機能に必要な各種の部品を備えている。この場合、表示パネルは、時刻などの情報を電気光学的に表示するように構成されている。時計ムーブメントは、文字板の上方に突出した指針軸を回転させることにより、この指針軸の上部に取り付けられた指針を文字板の上方で運針させて時刻を指示表示させるように構成されている。
【００１３】
また、腕時計ケース１の２時、４時、８時、１０時の４か所に位置する個所には、図１および図２に示すように、スイッチ部１０がそれぞれ設けられている。さらに、この腕時計ケース１の１２時側と６時側とに位置する個所には、バンド取付部１１がそれぞれ設けられている。これらバンド取付部１１は、時計バンド１２がそれぞれ取り付けられるように構成されている。
【００１４】
すなわち、このバンド取付部１１は、図１〜図４に示すように、腕時計ケース１から外部に向けて突出する一対の取付突起部１１ａを備えている。これにより、バンド取付部１１は、一対の取付突起部１１ａ間に時計バンド１２の端部１２ａが配置され、この状態で時計バンド１２の端部１２ａが一対の取付突起部１１ａにねじ部材１１ｂによって取り付けられるように構成されている。
【００１５】
この場合、時計バンド１２は、ウレタン樹脂などの弾力性を有する合成樹脂によって形成されている。この時計バンド１２は、図３および図４に示すように、その端部１２ａが一対の取付突起部１１ａにねじ部材１１ｂによって取り付けられた際に、ケース本体２の外側面に当接し、かつ端部１２ａの下側の突起部１２ｂが裏蓋６の下面に当接することにより、ねじ部材１１ｂを中心に回転しない非回転状態で取り付けられている。
【００１６】
ところで、腕時計ケース１の上部、つまりケース本体２の上部には、図１〜図６に示すように、保護部材１３が配置されている。この保護部材１３は、ポリアミド系樹脂などの衝撃に強い合成樹脂で形成されている。この保護部材１３は、リング状の保護本体部１４と、この保護本体部１４を支持する一対の保護支持部１５と、を有している。
【００１７】
リング状の保護本体部１４は、図１〜図６に示すように、ベゼル３の上端部の内径とほぼ同じ外径のリング形状に形成され、ケース本体２の上端部および時計ガラス５の外周縁に対応した状態で、ベゼル３の上端部の内周縁に沿って配置されるように構成されている。この場合、保護本体部１４の１２時、３時、６時、９時の４か所は、その肉厚が厚い補強用の厚肉部１４ａにそれぞれ形成されている。
【００１８】
一対の保護支持部１５は、図１および図２に示すように、リング状の保護本体部１４の上面から腕時計ケース１の外側面を経て時計バンド１２の端部１２ａに到達して当接する状態で、保護本体部１４の上面における２か所に形成されている。すなわち、一対の保護支持部１５は、それぞれ全体がほぼ枠状に形成され、１２時側と６時側との２個所にそれぞれ設けられている。
【００１９】
この場合、保護支持部１５は、図３に示すように、リング状の保護本体部１４の上面である厚肉部１４ａの両側部から腕時計ケース１の外側面を経て時計バンド１２の端部１２ａに到達する一対の支持アーム部１５ａと、図４および図６に示すように、時計バンド１２の端部１２ａの上部に位置して一対の支持アーム部１５ａの各下端部を連結する連結部１５ｂと、を有している。
【００２０】
すなわち、連結部１５ｂは、図４および図６に示すように、時計バンド１２の端部１２ａの上部とこれに対応するベゼル３の下部との間に挟まれた状態で配置されるように構成されている。また、一対の支持アーム部１５ａは、図３に示すように、ベゼル３に設けられた溝部３ａに挿入された状態で、リング状の保護本体部１４の上面からベゼル３の外側面を経て時計バンド１２の端部１２ａに到達するように構成されている。
【００２１】
これにより、保護支持部１５は、図３〜図５に示すように、連結部１５ｂが時計バンド１２の端部１２ａの上部とこれに対応するベゼル３の下部との間に挟まれた状態で保持され、この状態で一対の支持アーム部１５ａが保護本体部１４の上面からベゼル３の外側面を経て時計バンド１２の端部１２ａに当接することにより、リング状の保護本体部１４を押し上げて、保護本体部１４の下面とケース本体２の上面との間に隙間Ｓを有した状態で、保護本体部１４を支持するように構成されている。
【００２２】
また、この保護部材１３には、図５および図６に示すように、保護部材１３が腕時計ケース１の上面側に抜け出すのを阻止するための一対の抜け止め部１６が設けられている。これら一対の抜け止め部１６は、腕時計ケース１の３時および９時に位置する２か所に設けられている。すなわち、この抜け止め部１６は、保護部材１３の保護本体部１４から腕時計ケース１のケース本体２の外側面に沿って延出された平板状のスライド片１６ａを有している。
【００２３】
この場合、スライド片１６ａは、図５および図６に示すように、ケース本体２とベゼル３との間に配置されるように構成されている。このスライド片１６ａには、長孔１６ｂが上下方向に沿って形成されている。また、このスライド片１６ａは、ケース本体２とベゼル３との間に配置された状態で、ベゼル３をケース本体２に取り付けるビス４が長孔１６ｂ内に相対的に移動可能な状態で挿入されてケース本体２に取り付けられることにより、ビス４によって上下方向にガイドされるように構成されている。
【００２４】
これにより、抜け止め部１６は、図５および図６に示すように、保護部材１３の保護支持部１５が時計バンド１２の端部１２ａ上に当接して保護本体部１４がケース本体２の上面から上方に押し上げられた際に、ビス４がスライド片１６ａの長孔１６ｂ内の下端部に当接することにより、保護部材１３の上限位置を規制して保護部材１３が腕時計ケース１の上方に抜け出さないように構成されている。
【００２５】
また、この抜け止め部１６は、図５および図６に示すように、保護部材１３の保護本体部１４が上方から衝撃を受けて、保護支持部１５が時計バンド１２の端部１２ａに弾力的に食い込んで押し下げられた際に、または保護本体部１４が下側に撓んだ際に、スライド片１６ａの長孔１６ｂに沿ってビス４が相対的に上側に移動することにより、スライド片１６ａがビス４によってガイドされて押し下げられるように構成されている。
【００２６】
次に、この腕時計の作用について説明する。
腕時計ケース１に保護部材１３を取り付ける場合には、予め、ケース本体２の上部開口部に時計ガラス５を取り付け、このケース本体２の外周面にベゼル３を装着し、この状態でケース本体２に保護部材１３を取り付けて、腕時計ケース１を組み立てる。
【００２７】
この場合、保護部材１３をケース本体２に取り付ける際には、保護部材１３の抜け止め部１６のスライド片１６ａを腕時計ケース１の上方から３時および９時に位置するケース本体２とベゼル３との間に差し込むと共に、保護支持部１５の一対の支持アーム部１５ａをベゼル３の溝部３ａに挿入させて、保護支持部１５の連結部１５ｂをバンド取付部１１の一対の取付突起部１１ａ間に位置するベゼル３の下端部に引っ掛けて配置する。
【００２８】
すると、保護本体部１４がケース本体２の上端面および時計ガラス５の外周縁上に対応して、ベゼル３の上端部の内周縁内に配置される。この状態で、ベゼル３をケース本体２にビス４によって固定する。このときには、図５に示すように、３時および９時に位置するベゼル３の外側からビス４をベゼル３に挿入させて保護部材１３の抜け止め部１６のスライド片１６ａに設けられた長孔１６ｂに差し込んでケース本体２に螺着する。
【００２９】
これにより、ベゼル３がケース本体２の外周に取り付けられると共に、保護部材１３の保護本体部１４が腕時計ケース１にその上下方向に移動可能な状態で、保護部材１３が上方に抜け出すことなく、取り付けられる。すなわち、保護部材１３の保護本体部１４は、抜け止め部１６のスライド片１６ａに設けられた長孔１６ｂ内に挿入されたビス４が、スライド片１６ａの長孔１６ｂに沿って上下方向に相対的に移動可能になる。
【００３０】
これにより、保護部材１３は、スライド片１６ａが上下方向に移動可能な状態となり、これに伴って保護本体部１４および保護支持部１５が上下方向に移動可能な状態になる。また、この状態では、ビス４がスライド片１６ａの長孔１６ｂ内の下端部に当接することにより、保護本体部１４の上限位置が規制され、保護部材１３が腕時計ケース１の上方に抜け出すことがない。
【００３１】
そして、ケース本体２内に時計モジュール７を組み込み、この時計モジュール７の下部に押え部材９を配置し、この状態でケース本体２の下部に裏蓋６を取り付ける。この後、腕時計ケース１のバンド取付部１１に時計バンド１２の端部１２ａをねじ部材１１ｂによって取り付ける。このときには、時計バンド１２の端部１２ａを保護支持部１５の連結部１５ｂに下側から押し当て、この連結部１５ｂをベゼル３の下端部に押し当て、保護部材１３を押し上げる。
【００３２】
この状態では、保護部材１３の抜け止め部１６におけるスライド片１６ａの長孔１６ｂ内をビス４が相対的に移動して長孔１６ｂの下端部に当接することにより、保護部材１３が腕時計ケース１の上方に抜け出すことがなく、保護本体部１４が上限位置に規制される。このときには、保護本体部１４が、ベゼル３の上端部の内周縁内において、ケース本体２の上端面および時計ガラス５の上面から上方に隙間Ｓをもって配置される。
【００３３】
このように、保護部材１３が腕時計ケース１の上部に取り付けられた状態では、保護本体部１４が、ベゼル３の上端部の内周縁内において、ケース本体２の上端面および時計ガラス５の上面から上方に隙間Ｓをもって配置されていることにより、腕時計が上方から衝撃を受けた際に、保護部材１３によって衝撃を緩和することができる。
【００３４】
すなわち、保護部材１３の保護本体部１４が上方から衝撃を受けると、その衝撃によって保護支持部１５の一対の支持アーム部１５ａによって連結部１５ｂが時計バンド１２の端部１２ａを弾性変形させて食い込む。これにより、衝撃を時計バンド１２で受け止めて逃すことができる。このときには、抜け止め部１６のスライド片１６ａの長孔１６ｂ内でビス４が相対的に移動することにより、抜け止め部１６が押し下げられ、保護本体部１４がケース本体２の上端面に接近または接触する。
【００３５】
これにより、腕時計が上方から衝撃を受けて、その衝撃が保護部材１３の保護本体部１４に加わると、その衝撃を保護部材１３の保護支持部１５によって時計バンド１２に逃がすことができると共に、衝撃によって保護本体部１４が下側に撓んでも、ケース本体２の上端面と保護本体部１４の下面との間の隙間Ｓによって、衝撃を緩衝することができる。
【００３６】
このため、腕時計が上方から衝撃を受けても、その衝撃が腕時計ケース１に伝わらないように、衝撃を緩和することができる。これにより、衝撃によって時計ガラス５や腕時計ケース１内の時計モジュール７が破損するのを防ぐことができるので、衝撃から時計を良好に保護することができる。
【００３７】
ところで、保護部材１３を腕時計ケース１から取り外す場合には、まず、時計バンド１２を腕時計ケース１のバンド取付部１１から取り外する。このときには、バンド取付部１１からねじ部材１１ｂを取り外し、時計バンド１２の端部１２ａをバンド取付部１１から取り外す。これにより、保護部材１３の保護支持部１５の連結部１５ｂをベゼル３の下端部から離脱させることが可能になる。
【００３８】
この状態で、ベゼル３の３時および９時に位置する各ビス４を取り外す。そして、保護支持部１５の連結部１５ｂをベゼル３の下端部から離脱させて、保護本体部１４を腕時計ケース１の上方に引き上げると、抜け止め部１６をケース本体２とベゼル３との間から引き出すことができる。これにより、保護部材１３を腕時計ケース１から簡単に取り外すことができる。
【００３９】
このように、この腕時計によれば、バンド取付部１１が設けられた腕時計ケース１と、この腕時計ケース１のバンド取付部１１に取り付けられた時計バンド１２と、腕時計ケース１の上面に配置される保護本体部１４、および時計バンド１２に当接して保護本体部１４を支持する保護支持部１５を有する保護部材１３と、を備えていることにより、衝撃から時計を良好に保護することができる。
【００４０】
すなわち、この腕時計で３は、衝撃が保護部材１３の保護本体部１４に加わると、その衝撃を保護部材１３の保護支持部１５によって時計バンド１２に逃がすことができるので、腕時計ケース１が受ける衝撃を緩和することができ、これにより衝撃によって時計ガラス５や時計モジュール７が破損するのを防ぐことができるので、衝撃から時計を良好に保護することができる。
【００４１】
この場合、保護部材１３はポリアミド系樹脂などの衝撃に強い合成樹脂で形成されており、時計バンド１２はウレタン樹脂などの弾力を有する合成樹脂で形成されていることにより、衝撃が保護部材１３の保護本体部１４に加わると、その衝撃を保護部材１３の保護支持部１５に集中させることができ、この保護支持部１５が衝撃による荷重で時計バンド１２を弾性変形させることができるので、衝撃を時計バンド１２に確実にかつ良好に逃がすことができる。
【００４２】
また、この腕時計では、腕時計ケース１のケース本体２の上面と保護部材１３の保護本体部１４の下面との間に、隙間Ｓが保護支持部１５によって設けられていることにより、保護部材１３の保護本体部１４が衝撃を受け、その衝撃を保護支持部１５によって時計バンド１２に逃がす際に、ケース本体２の上面と保護本体部１４の下面との間の隙間Ｓで、保護本体部１４を移動させることができる。
【００４３】
これにより、保護本体部１４をケース本体２の上面に接近または接触させて、ケース本体２が衝撃を受けないようにすることができると共に、保護部材１３の保護本体部１４を隙間Ｓによって撓ませることができる。このため、ケース本体２が受ける衝撃を確実にかつ良好に緩和することができるので、衝撃によって時計ガラス５や時計モジュール７が破損するのを防ぐことができ、これにより衝撃から時計を良好に保護することができる。
【００４４】
さらに、この腕時計では、保護部材１３が腕時計ケース１の上面にその接離方向に移動可能な状態で、かつ腕時計ケース１の上面側から抜け出すのを阻止する抜け止め部１６が設けられていることにより、保護部材１３の保護本体部１４が衝撃を受けた際に、保護本体部１４を腕時計ケース１のケース本体２の上面に向けて接近する方向に移動させることができ、また保護本体部１４がケース本体２の上面から離れる方向に移動しても、抜け止め部１６によって保護部材１３が腕時計ケース１から離脱するのを確実に阻止することができる。
【００４５】
すなわち、この抜け止め部材１６は、保護部材１３の保護本体部１４からケース本体１の外側面に沿って延出されたスライド片１６ａに長孔１６ｂが上下方向に沿って設けられ、ベゼル３をケース本体２に取り付けるためのビス４がスライド片１６ａの長孔１６ｂを通してケース本体２に螺着する構成であることにより、ビス４をスライド片１６ａの長孔１６ｂ内で相対的に移動させることができ、このためビス４によってスライド片１６ａを上下方向にガイドすることができる。
【００４６】
これにより、保護本体部１４が衝撃を受けた際に、保護本体部１４を腕時計ケース１のケース本体２の上面に向けて接近する方向に移動させることができと共に、保護本体部１４を衝撃に応じて撓ませることができるので、衝撃を確実にかつ良好に緩和することができるほか、保護本体部１４がケース本体２の上面から離れる方向に移動した際に、ビス４がスライド片１６ａの長孔１６ｂ内の下端部に当接することにより、保護部材１３が腕時計ケース１から離脱するのを確実に阻止することができる。
【００４７】
（第２実施形態）
次に、図７〜図９を参照して、この発明を適用した腕時計の第２実施形態について説明する。なお、図１〜図６に示された第１実施形態と同一部分には同一符号を付して説明する。
この腕時計は、図８および図９に示すように、腕時計ケース１のバンド取付部１１に時計バンド１２の端部１２ａを回転可能な状態で取り付けた構成であり、これ以外は第１実施形態とほぼ同じ構成なっている。
【００４８】
この場合にも、時計バンド１２は、第１実施形態と同様、ウレタン樹脂などの弾力性を有する合成樹脂で形成されている。この時計バンド１２は、図８および図９に示すように、その端部１２ａが腕時計ケース１のバンド取付部１１にねじ部材１１ｂによって回転可能に取り付けられた構成になっている。
【００４９】
この時計バンド１２は、図８および図９に示すように、その端部１２ａが一対の取付突起部１１ａにねじ部材１１ｂによって取り付けられた際に、ケース本体２の外側面と時計バンド１２の端部１２ａの外周面との間に隙間Ｈを設けることにより、その隙間Ｈの間隔だけ、時計バンド１２がねじ部材１１ｂを中心に反時計回り方向に回転するように構成されている。この場合にも、時計バンド１２は、その端部１２ａの下側の突起部１２ｂが裏蓋６の下面に当接することにより、時計回り方向に回転しないように構成されている。
【００５０】
次に、このような腕時計の作用について説明する。
腕時計ケース１に保護部材１３を取り付ける場合には、第１実施形態と同様、予め、ケース本体２の上部開口部に時計ガラス５を取り付け、このケース本体２の外周面にベゼル３を装着し、この状態で保護部材１３をケース本体２に取り付けることにより、腕時計ケース１を組み立てることができる。
【００５１】
このように、保護部材１３が腕時計ケース１の上部に取り付けられた状態では、第１実施形態と同様、保護部材１３の保護本体部１４が、ベゼル３の上端部の内周縁内において、ケース本体２の上端面から上方に隙間Ｓをもって配置され、この隙間Ｓによって保護本体部１４がケース本体２の上端部に接近する方向に移動可能な状態になる。
【００５２】
この状態で、時計バンド１２の端部１２ａを腕時計ケース１の一対のバンド取付部１１にねじ部材１１ｂによって取り付ける。このときには、ケース本体２の外側面と時計バンド１２の端部１２ａの外周面との間に隙間Ｈが設けられ、この隙間Ｈによって時計バンド１２がねじ部材１１ｂを中心に反時計回り方向に回転可能な状態になる。
【００５３】
このように組み立てられた腕時計では、腕時計が上方から衝撃を受けた際に、第１実施形態と同様、保護部材１３によって衝撃を緩和することができる。すなわち、保護部材１３の保護本体部１４が上方から衝撃を受けると、その衝撃によって保護支持部１５の一対の支持アーム部１５ａによって、連結部１５ｂが時計バンド１２の端部１２ａを押し下げて、衝撃を時計バンド１２で受け止めて逃すことができる。
【００５４】
この場合、保護支持部１５が時計バンド１２の端部１２ａを押し下げると、ケース本体２の外側面と時計バンド１２の端部１２ａの外周面との間に設けられた隙間Ｈによって、時計バンド１２がねじ部材１１ｂを中心に反時計回り方向に回転する。そして、時計バンド１２の端部１２ａの外周面がケース本体２の外側面に当接すると、時計バンド１２の回転が停止し、この状態で保護支持部１５の連結部１５ｂが時計バンド１２の端部１２ａに弾力的に食い込む。
【００５５】
また、このときには、第１実施形態と同様、抜け止め部１６のスライド片１６ａの長孔１６ｂ内でビス４が相対的に移動することにより、抜け止め部１６が保護部材１３の保護本体部１４によってケース本体２の外側面に沿って押し下げられ、この保護本体部１４がケース本体２の上端面に接近または接触する。
【００５６】
これにより、腕時計が上方から衝撃を受けても、その衝撃が保護部材１３の保護本体部１４に加わると、その衝撃を保護部材１３の保護支持部１５によって時計バンド１２に確実に逃がすことができる。このため、第１実施形態と同様、腕時計ケース１が受ける衝撃を緩和することができるので、衝撃によって時計ガラス５や腕時計ケース１内の時計モジュール７が破損することがなく、衝撃から時計を良好に保護することができる。
【００５７】
このように、この腕時計によれば、時計バンド１２が腕時計ケース１のバンド取付部１１に回転可能に取り付けられていることにより、保護部材１３が上方から衝撃を受けた際に、保護支持部１５が時計バンド１２の端部１２ａを押し下げて、時計バンド１２を回転させることができるので、保護部材１３が上方から受けた衝撃を良好に時計バンド１２に逃がすことができ、これにより第１実施形態よりも効率良くかつ良好に衝撃を緩衝することができる。
【００５８】
すなわち、この腕時計では、時計バンド１２の端部１２ａが腕時計ケース１の一対のバンド取付部１１にねじ部材１１ｂによって取り付けられた際に、ケース本体２の外側面と時計バンド１２の端部１２ａの外周面との間に隙間Ｈが設けられ、この隙間Ｈによって時計バンド１２がねじ部材１１ｂを中心に回転する構成であるから、保護部材１３が上方から衝撃を受けて、保護支持部１５が時計バンド１２の端部１２ａを押し下げた際に、隙間Ｈによって、時計バンド１２を確実に回転させることができる。
【００５９】
この場合、時計バンド１２が隙間Ｈの間隔だけ回転すると、時計バンド１２の端部１２ａの外周面がケース本体２の外側面に当接するので、時計バンド１２の回転を停止させることができ、これにより保護支持部１５の連結部１５ｂを時計バンド１２の端部１２ａに弾力的に食い込ませることができるので、効率良くかつ良好に衝撃を緩衝することができる。
【００６０】
これにより、この腕時計では、保護部材１３が上方から衝撃を受けて、その衝撃が保護部材１３の保護本体部１４に加わっても、その衝撃を保護部材１３の保護支持部１５によって時計バンド１２に効率良く逃がすことができるので、衝撃を良好に緩衝することができる。このため、第１実施形態と同様、腕時計ケース１が受ける衝撃を緩和することができるので、衝撃によって時計ガラス５や腕時計ケース１内の時計モジュール７が破損することがなく、衝撃から時計を良好に保護することができる。
【００６１】
なお、上述した実施形態では、腕時計ケース１がケース本体２とベゼル３とで構成されている場合について述べたが、必ずしもベゼル３を設ける必要はなく、ケース本体２のみで腕時計ケースを構成しても良い。
【００６２】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６３】
（付記）
請求項１に記載の発明は、バンド取付部が設けられたケースと、前記バンド取付部に取り付けられたバンドと、前記ケースの上面に配置される保護本体部、および前記保護本体部に連設され前記バンドの端部の上部に当接して前記保護本体部を支持する保護支持部を有する保護部材と、を備えていることを特徴とする腕時計である。
【００６４】
請求項２に記載の発明は、請求項１に記載の腕時計において、前記保護部材は衝撃に強い合成樹脂で形成されており、前記バンドは弾力を有する合成樹脂で形成されていることを特徴とする腕時計である。
【００６５】
請求項３に記載の発明は、請求項１または請求項２に記載の腕時計において、前記ケースの上面と前記保護本体部の下面との間には、隙間が前記保護支持部によって設けられていることを特徴とする腕時計である。
【００６６】
請求項４に記載の発明は、請求項１〜請求項３のいずれかに記載の腕時計において、前記保護部材が前記ケースの上面にその接離方向に移動可能な状態で、かつ前記ケースの上面側から抜け出すのを阻止する抜け止め部が設けられていることを特徴とする腕時計である。
【００６７】
請求項５に記載の発明は、請求項１〜請求項４のいずれかに記載の腕時計において、前記バンドは前記ケースの前記バンド取付部に回転可能な状態で取り付けられていることを特徴とする腕時計である。
【符号の説明】
【００６８】
１  腕時計ケース
２  ケース本体
３  ベゼル
４  ビス
５  時計ガラス
７  時計モジュール
１１  バンド取付部
１１ｂ  ねじ部材
１２  時計バンド
１２ａ  端部
１３  保護部材
１４  保護本体部
１５  保護支持部
１５ａ  支持アーム部
１５ｂ  連結部
１６  抜け止め部
１６ａ  スライド片
１６ｂ  長孔
【図１】
2015169604.tif 000003
【図２】
2015169604.tif 000004
【図３】
2015169604.tif 000005
【図４】
2015169604.tif 000006
【図５】
2015169604.tif 000007
【図６】
2015169604.tif 000008
【図７】
2015169604.tif 000009
【図８】
2015169604.tif 000010
【図９】
2015169604.tif 000011